(57)【要約】【課題】電極体を形成する際に、正極または負極とセパレータとがずれるのを抑制することができる蓄電素子を提供する。【解決手段】正極４１０と、負極４２０と、正極４１０及び負極４２０の間に配置されるセパレータ４３０とを有する電極体４００を備える蓄電素子１０であって、正極４１０及び負極４２０のうちの少なくとも一方は、基材層と、基材層の表面に形成された活物質を含む合材層と、基材層の表面の合材層と隣り合う位置に形成され、合材層よりも厚み方向の高さが高い部分を有する層であって、活物質とは異なる物質を含む第一層４４１とを備える。【選択図】図６
2015069944.tif 000002
【特許請求の範囲】
【請求項１】
正極と、負極と、前記正極及び前記負極の間に配置されるセパレータとを有する電極体を備える蓄電素子であって、
前記正極及び前記負極のうちの少なくとも一方は、
基材層と、
前記基材層の表面に形成された、活物質を含む合材層と、
前記基材層の表面の前記合材層と隣り合う位置に形成され、前記合材層よりも厚み方向の高さが高い部分を有する層であって、前記活物質とは異なる物質を含む第一層と、を備える
蓄電素子。
【請求項２】
前記合材層は、間隔を空けて形成された２つの合材層を有し、
前記第一層は、前記２つの合材層の間に配置される
請求項１に記載の蓄電素子。
【請求項３】
前記第一層は、前記セパレータに向けて突出した凸部を有する
請求項１または２に記載の蓄電素子。
【請求項４】
前記セパレータは、前記第一層に沿って形成された溝部を有する
請求項１〜３のいずれか１項に記載の蓄電素子。
【請求項５】
前記基材層は、前記第一層に沿って形成された溝部を有する
請求項１〜４のいずれか１項に記載の蓄電素子。
【請求項６】
さらに、
前記合材層と前記第一層との間に配置される、絶縁性の第二層を有する
請求項１〜５のいずれか１項に記載の蓄電素子。
【請求項７】
前記第一層は、絶縁性、弾性及び多孔性のうちの少なくとも１つの性質を有する
請求項１〜６のいずれか１項に記載の蓄電素子。
【発明の詳細な説明】
【技術分野】
【０００１】
正極と、負極と、正極及び負極の間に配置されるセパレータとを有する電極体を備える蓄電素子に関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車の開発が進められている。
【０００３】
そして、このような蓄電素子においては、正極と負極とセパレータとが積層されて形成される電極体を備えている（例えば、特許文献１参照）。つまり、この蓄電素子では、正極と負極との間にセパレータが配置され、正極と負極とセパレータとが巻回されて電極体が形成されている。
【先行技術文献】
【特許文献】
【０００４】
【特許文献１】特開２０１１−２１０５４９号公報
【発明の概要】
【発明が解決しようとする課題】
【０００５】
しかしながら、上記従来の蓄電素子では、正極と負極とセパレータとを積層して電極体を形成する際に、正極、負極及びセパレータのいずれかがずれてしまう場合があるという問題がある。つまり、正極と負極との間にセパレータを配置して電極体を形成する際に、正極または負極とセパレータとがずれてしまう場合がある。
【０００６】
本発明は、上記問題を解決するためになされたものであり、電極体を形成する際に、正極または負極とセパレータとがずれるのを抑制することができる蓄電素子を提供することを目的とする。
【課題を解決するための手段】
【０００７】
上記目的を達成するために、本発明の一態様に係る蓄電素子は、正極と、負極と、前記正極及び前記負極の間に配置されるセパレータとを有する電極体を備える蓄電素子であって、前記正極及び前記負極のうちの少なくとも一方は、基材層と、前記基材層の表面に形成された、活物質を含む合材層と、前記基材層の表面の前記合材層と隣り合う位置に形成され、前記合材層よりも厚み方向の高さが高い部分を有する層であって、前記活物質とは異なる物質を含む第一層と、を備える。
【０００８】
これによれば、蓄電素子において、正極及び負極のうちの少なくとも一方は、基材層の表面の合材層と隣り合う位置に、合材層よりも厚み方向の高さが高い部分を有する第一層を備えている。つまり、正極または負極において、合材層の隣りの第一層が合材層よりも高い部分を有しているため、この第一層がセパレータに接触して、セパレータの動きを規制する。これにより、当該蓄電素子において、電極体を形成する際に、正極または負極とセパレータとがずれるのを抑制することができる。
【０００９】
また、前記合材層は、間隔を空けて形成された２つの合材層を有し、前記第一層は、前記２つの合材層の間に配置されることにしてもよい。
【００１０】
これによれば、第一層を合材層の間に配置することで、電極体を形成する際に、バランスよく第一層をセパレータに接触させることができるため、正極または負極とセパレータとがずれるのを効果的に抑制することができる。
【００１１】
また、前記第一層は、前記セパレータに向けて突出した凸部を有することにしてもよい。
【００１２】
これによれば、第一層に凸部を形成することで、合材層よりも高さが高い部分を形成することができるため、容易に、正極または負極とセパレータとがずれるのを抑制することができる。
【００１３】
また、前記セパレータは、前記第一層に沿って形成された溝部を有することにしてもよい。
【００１４】
これによれば、セパレータには、第一層の高さが高い部分に対応して、溝部が形成されるため、第一層の当該高さが高い部分と当該溝部とで、正極または負極とセパレータとがずれるのを抑制することができる。
【００１５】
また、前記基材層は、前記第一層に沿って形成された溝部を有することにしてもよい。
【００１６】
これによれば、基材層には、第一層に沿って溝部が形成されている。つまり、基材層には、溝部が形成されており、第一層には、当該溝部に対応して、合材層よりも厚み方向の高さが低い部分が形成されている。このため、当該溝部と第一層の当該高さが低い部分とで、基材層に対して第一層がずれるのを抑制することができる。
【００１７】
また、さらに、前記合材層と前記第一層との間に配置される、絶縁性の第二層を有することにしてもよい。
【００１８】
これによれば、合材層と第一層との間には、絶縁性の第二層が形成されている。つまり、合材層と第一層との間の隙間を絶縁性部材で埋めることで、絶縁性を確保しつつ、第一層を安定して配置することができる。
【００１９】
また、前記第一層は、絶縁性、弾性及び多孔性のうちの少なくとも１つの性質を有することにしてもよい。
【００２０】
つまり、第一層が絶縁性の部材で形成されていれば、絶縁性を確保しつつ、第一層を配置することができる。また、第一層が弾性または多孔性の部材で形成されていれば、第一層がセパレータと接触してセパレータを損傷させるのを防止することができる。
【００２１】
なお、本発明は、このような蓄電素子として実現することができるだけでなく、当該蓄電素子が備える電極体、または第一層を備えた電極として実現することもできる。
【発明の効果】
【００２２】
本発明に係る蓄電素子によれば、電極体を形成する際に、正極または負極とセパレータとがずれるのを抑制することができる。
【図面の簡単な説明】
【００２３】
【図１】本発明の実施の形態に係る蓄電素子の構成を容器内部を透視して示す斜視図である。
【図２】本発明の実施の形態に係る電極体の構成を示す斜視図である。
【図３】本発明の実施の形態に係る電極体の巻回状態を一部展開して示す斜視図である。
【図４】本発明の実施の形態に係る電極体の構成を示す断面図である。
【図５】本発明の実施の形態に係る電極体の構成を示す断面図である。
【図６】本発明の実施の形態に係る合材隣接層の構成を示す断面図である。
【図７】本発明の実施の形態に係る正極合材層の間に配置される合材隣接層の構成を示す断面図である。
【図８】本発明の実施の形態の変形例１に係る電極体の巻回状態を一部展開して示す斜視図である。
【図９】本発明の実施の形態の変形例１に係る合材隣接層の構成を示す断面図である。
【図１０】本発明の実施の形態の変形例２に係る電極体の巻回状態を一部展開して示す斜視図である。
【図１１】本発明の実施の形態の変形例２に係る電極体の巻回状態を一部展開して示す斜視図である。
【図１２】本発明の実施の形態の変形例３に係る合材隣接層の構成を示す断面図である。
【図１３】本発明の実施の形態の変形例４に係る合材隣接層の構成を示す断面図である。
【発明を実施するための形態】
【００２４】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態、製造工程、製造工程の順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。
【００２５】
（実施の形態）
まず、蓄電素子１０の構成について、説明する。
【００２６】
図１は、本発明の実施の形態に係る蓄電素子１０の構成を容器内部を透視して示す斜視図である。また、図２は、本発明の実施の形態に係る電極体４００の構成を示す斜視図である。
【００２７】
蓄電素子１０は、電気を充電し、また、電気を放電することのできる二次電池であり、より具体的には、リチウムイオン二次電池などの非水電解質二次電池である。なお、蓄電素子１０は、非水電解質二次電池には限定されず、非水電解質二次電池以外の二次電池であってもよいし、キャパシタであってもよい。
【００２８】
まず図１に示すように、蓄電素子１０は、容器１００と、正極端子２００と、負極端子３００とを備え、容器１００は、上壁であるふた板１１０を備えている。また、容器１００内方には、電極体４００と、正極集電体１２０と、負極集電体１３０とが配置されている。なお、容器１００の内部には電解液などの液体が封入されているが、当該液体の図示は省略する。
【００２９】
容器１００は、金属からなる矩形筒状で底を備える筐体本体と、当該筐体本体の開口を閉塞する金属製のふた板１１０とで構成されている。また、容器１００は、電極体４００等を内部に収容後、ふた板１１０と筐体本体とが溶接等されることにより、内部を密封することができるものとなっている。
【００３０】
電極体４００は、図２に示すように、正極４１０と負極４２０とセパレータ４３０とを備え、電気を蓄えることができる部材である。具体的には、電極体４００は、正極４１０と負極４２０との間にセパレータ４３０が挟み込まれるように層状に配置されたものを全体が長円形状となるように巻回されて形成されている。
【００３１】
なお、図２では、電極体４００の形状（同図のＹＺ平面で切断した場合の断面形状）としては長円形状を示したが、円形状または楕円形状でもよい。また、電極体４００の形状は巻回型に限らず、平板状極板を積層した形状でもよい。電極体４００の詳細な構成については、後述する。
【００３２】
正極端子２００は、正極集電体１２０を介して、電極体４００の正極４１０に電気的に接続された電極端子であり、負極端子３００は、負極集電体１３０を介して、電極体４００の負極４２０に電気的に接続された電極端子である。
【００３３】
つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。また、正極端子２００及び負極端子３００は、電極体４００の上方に配置されたふた板１１０に取り付けられている。
【００３４】
正極集電体１２０は、電極体４００の正極４１０と容器１００の側壁との間に配置され、正極端子２００と正極４１０とに電気的に接続される導電性と剛性とを備えた部材である。なお、正極集電体１２０は、後述する正極４１０の正極基材層と同様、アルミニウムまたはアルミニウム合金などで形成されている。
【００３５】
負極集電体１３０は、電極体４００の負極４２０と容器１００の側壁との間に配置され、負極端子３００と電極体４００の負極４２０とに電気的に接続される導電性と剛性とを備えた部材である。なお、負極集電体１３０は、後述する負極４２０の負極基材層と同様、銅または銅合金などで形成されている。
【００３６】
次に、電極体４００の詳細な構成について、説明する。
【００３７】
図３は、本発明の実施の形態に係る電極体４００の巻回状態を一部展開して示す斜視図である。また、図４及び図５は、本発明の実施の形態に係る電極体４００の構成を示す断面図である。具体的には、図４は、図３に示された電極体４００をＡ−Ａ断面で切断した場合の断面を示す図であり、図５は、図３に示された電極体４００をＢ−Ｂ断面で切断した場合の断面を示す図である。
【００３８】
これらの図に示すように、電極体４００は、正極４１０と負極４２０とセパレータ４３０とが積層されて形成されている。ここで、セパレータ４３０は、２つのセパレータ４３１及び４３２からなる。つまり、電極体４００は、正極４１０と負極４２０と２つのセパレータ４３１及び４３２とが、正極４１０と負極４２０との間にセパレータ４３１または４３２が配置されるようにして、巻回されて形成されている。
【００３９】
正極４１０は、正極基材層４１１と正極合材層４１２及び４１３とを備え、正極基材層４１１の表面に、正極合材層４１２及び４１３が形成された電極板（正極板）である。また、負極４２０は、負極基材層４２１と負極合材層４２２及び４２３とを備え、負極基材層４２１の表面に、負極合材層４２２及び４２３が形成された電極板（負極板）である。
【００４０】
正極基材層４１１は、アルミニウムまたはアルミニウム合金などからなる長尺帯状の導電性の集電箔である。負極基材層４２１は、銅または銅合金などからなる長尺帯状の導電性の集電箔である。なお、上記集電箔として、ニッケル、鉄、ステンレス鋼、チタン、焼成炭素、導電性高分子、導電性ガラス、Ａｌ−Ｃｄ合金など、適宜公知の材料を用いることもできる。
【００４１】
正極合材層４１２及び４１３は、正極基材層４１１の表面に形成された、正極活物質を含む合材層である。具体的には、正極合材層４１２は、正極基材層４１１の一方の表面（Ｚ軸方向プラス側の表面）に形成された合材層であり、正極合材層４１３は、正極基材層４１１の他方の表面（Ｚ軸方向マイナス側の表面）に形成された合材層である。また、正極合材層４１２及び４１３は、例えば、正極活物質とバインダーとを含んでいる。
【００４２】
ここで、正極合材層４１２及び４１３に用いられる正極活物質としては、リチウムイオンを吸蔵放出可能な正極活物質であれば、適宜公知の材料を使用できる。例えば、正極活物質として、ＬｉｘＭＯｙ（Ｍは少なくとも一種の遷移金属を表す）で表される複合酸化物（ＬｉｘＣｏＯ２、ＬｉｘＮｉＯ２、ＬｉｘＭｎ２Ｏ４、ＬｉｘＭｎＯ３、ＬｉｘＮｉｙＣｏ（１−ｙ）Ｏ２、ＬｉｘＮｉｙＭｎｚＣｏ（１−ｙ−ｚ）Ｏ２、ＬｉｘＮｉｙＭｎ（２−ｙ）Ｏ４など）、あるいは、ＬｉｗＭｅｘ（ＸＯｙ）ｚ（Ｍｅは少なくとも一種の遷移金属を表し、Ｘは例えばＰ、Ｓｉ、Ｂ、Ｖ）で表されるポリアニオン化合物（ＬｉＦｅＰＯ４、ＬｉＭｎＰＯ４、ＬｉＮｉＰＯ４、ＬｉＣｏＰＯ４、Ｌｉ３Ｖ２（ＰＯ４）３、Ｌｉ２ＭｎＳｉＯ４、Ｌｉ２ＣｏＰＯ４Ｆなど）から選択することができる。また、これらの化合物中の元素又はポリアニオンは一部他の元素又はアニオン種で置換されていてもよく、表面にＺｒＯ２、ＭｇＯ、Ａｌ２Ｏ３などの金属酸化物や炭素を被覆されていてもよい。さらに、ジスルフィド、ポリピロール、ポリアニリン、ポリパラスチレン、ポリアセチレン、ポリアセン系材料などの導電性高分子化合物、擬グラファイト構造炭素質材料などが挙げられるが、これらに限定されるものではない。また、これらの化合物は単独で用いてもよく、２種以上を混合して用いてもよい。
【００４３】
負極合材層４２２及び４２３は、負極基材層４２１の表面に形成された、負極活物質を含む合材層である。具体的には、負極合材層４２２は、負極基材層４２１の一方の表面（Ｚ軸方向プラス側の表面）に形成された合材層であり、負極合材層４２３は、負極基材層４２１の他方の表面（Ｚ軸方向マイナス側の表面）に形成された合材層である。
【００４４】
つまり、負極合材層４２２は、セパレータ４３１を挟んで、正極４１０の正極合材層４１３に対向する位置に配置される。また、負極合材層４２３は、セパレータ４３２を挟んで、正極４１０の正極合材層４１２に対向する位置に配置される。また、負極合材層４２２及び４２３は、例えば、負極活物質とバインダーとを含んでいる。
【００４５】
ここで、負極合材層４２２及び４２３に用いられる負極活物質としては、リチウムイオンを吸蔵放出可能な負極活物質であれば、適宜公知の材料を使用できる。例えば、負極活物質として、リチウム金属、リチウム合金（リチウム−アルミニウム、リチウム−鉛、リチウム−錫、リチウム−アルミニウム−錫、リチウム−ガリウム、及びウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、金属酸化物、リチウム金属酸化物（Ｌｉ４Ｔｉ５Ｏ１２等）、ポリリン酸化合物などが挙げられる。
【００４６】
セパレータ４３０は、正極４１０と負極４２０との間に配置される長尺帯状のセパレータであり、具体的には、微多孔性のシートである。具体的には、セパレータ４３１は、正極合材層４１３と負極合材層４２２との間に配置され、セパレータ４３２は、正極合材層４１２と負極合材層４２３との間に配置される。
【００４７】
なお、セパレータ４３０（セパレータ４３１及び４３２）は、特に従来用いられてきたものと異なるところはなく、通常用いられているものが使用できる。
【００４８】
例えば、セパレータ４３０としては、ポリマー、天然繊維、炭化水素繊維、ガラス繊維またはセラミック繊維の織物または不織繊維を有する樹脂多孔膜が用いられる。また、当該樹脂多孔膜は、好ましくは、織物または不織ポリマー繊維を有する。特に、当該樹脂多孔膜は、ポリマー織物またはフリースを有するかまたはこのような織物またはフリースであるのが好ましい。ポリマー繊維としては、好ましくは、ポリアクリロニトリル（ＰＡＮ）、ポリアミド（ＰＡ）、ポリエステル、例えばポリエチレンテレフタレート（ＰＥＴ）及び／またはポリオレフィン（ＰＯ）、例えばポリプロピレン（ＰＰ）またはポリエチレン（ＰＥ）またはこのようなポリオレフィンの混合物から選択したポリマーの非電導性繊維を有する。また、当該樹脂多孔膜は、ポリオレフィン微多孔膜、不織布、紙等であってもよく、好ましくはポリオレフィン微多孔膜である。多孔質ポリオレフィン層としては、ポリエチレン、ポリプロピレン、またはこれらの複合膜などを利用することができる。
【００４９】
また、正極４１０及び負極４２０の合材層が形成されていない部分には、当該合材層に隣接して、合材隣接層４４０が配置されている。つまり、図３に示すように、合材隣接層４４０は、正極４１０及び負極４２０の合材層の間に配置される層であり、電極体４００の中央部分に、正極４１０及び負極４２０の長手方向（Ｙ軸方向）の全長にわたって、当該長手方向に延びるように形成されている。
【００５０】
具体的には、図４に示すように、合材隣接層４４０は、正極合材層４１２を構成する２つの合材層である正極合材層４１２ａと４１２ｂとの間に配置され、また、正極合材層４１３を構成する２つの合材層である正極合材層４１３ａと４１３ｂとの間に配置されている。また、合材隣接層４４０は、負極合材層４２２を構成する２つの合材層である負極合材層４２２ａと４２２ｂとの間に配置され、また、負極合材層４２３を構成する２つの合材層である負極合材層４２３ａと４２３ｂとの間に配置されている。
【００５１】
そして、図５に示すように、正極４１０と負極４２０とセパレータ４３０とが巻回されて積層された状態では、合材隣接層４４０は、直線状（同図ではＺ軸方向）に並ぶように配置される。ここで、合材隣接層４４０の構成について、以下に、詳細に説明する。
【００５２】
図６は、本発明の実施の形態に係る合材隣接層４４０の構成を示す断面図である。具体的には、同図は、図４に示された電極体４００の断面図における合材隣接層４４０の部分を拡大して示す拡大断面図である。また、図７は、本発明の実施の形態に係る正極合材層４１２、４１３の間に配置される合材隣接層４４０の構成を示す断面図である。なお、負極合材層４２２、４２３の間に配置される合材隣接層４４０も同様の構成を有するため、同図では省略して図示している。
【００５３】
まず、図６に示すように、正極４１０は、正極合材層４１２ａと４１２ｂとの間に、正極第一層４４１ａと正極第二層４４２ａ及び４４３ａとを備え、また、正極合材層４１３ａと４１３ｂとの間に、正極第一層４４１ｂと正極第二層４４２ｂ及び４４３ｂとを備えている。つまり、正極基材層４１１の一方の表面には、正極合材層が形成されていない領域が存在し、当該領域内に、正極第一層４４１ａと正極第二層４４２ａ及び４４３ａとが配置されており、正極基材層４１１の他方の表面にも、正極合材層が形成されていない領域が存在し、当該領域内に、正極第一層４４１ｂと正極第二層４４２ｂ及び４４３ｂとが配置されている。
【００５４】
具体的には、正極第一層４４１ａは、正極基材層４１１の表面（Ｚ軸方向プラス側の表面）の正極合材層４１２ａ及び４１２ｂと隣り合う位置に形成された層である。つまり、正極合材層４１２は、間隔を空けて形成された２つの合材層である正極合材層４１２ａ及び４１２ｂを有しており、正極第一層４４１ａは、当該２つの合材層である正極合材層４１２ａ及び４１２ｂの間に配置されている。
【００５５】
また、正極第二層４４２ａは、正極合材層４１２ａと正極第一層４４１ａとの間に配置される層であり、正極第二層４４３ａは、正極合材層４１２ｂと正極第一層４４１ａとの間に配置される層である。つまり、正極第二層４４２ａは、正極合材層４１２ａと正極第一層４４１ａとの間の隙間を埋める部材であり、正極第二層４４３ａは、正極合材層４１２ｂと正極第一層４４１ａとの間の隙間を埋める部材である。
【００５６】
また、正極第一層４４１ｂは、正極基材層４１１の表面（Ｚ軸方向マイナス側の表面）の正極合材層４１３ａ及び４１３ｂと隣り合う位置に形成された層である。つまり、正極合材層４１３は、間隔を空けて形成された２つの合材層である正極合材層４１３ａ及び４１３ｂを有しており、正極第一層４４１ｂは、当該２つの合材層である正極合材層４１３ａ及び４１３ｂの間に配置されている。
【００５７】
また、正極第二層４４２ｂは、正極合材層４１３ａと正極第一層４４１ｂとの間に配置される層であり、正極第二層４４３ｂは、正極合材層４１３ｂと正極第一層４４１ｂとの間に配置される層である。つまり、正極第二層４４２ｂは、正極合材層４１３ａと正極第一層４４１ｂとの間の隙間を埋める部材であり、正極第二層４４３ｂは、正極合材層４１３ｂと正極第一層４４１ｂとの間の隙間を埋める部材である。
【００５８】
また、正極第一層４４１ａと正極第一層４４１ｂとは、正極基材層４１１を挟んで対向する位置に配置されている。また、正極第二層４４２ａと正極第二層４４２ｂとは、正極基材層４１１を挟んで対向する位置に配置されており、正極第二層４４３ａと正極第二層４４３ｂとは、正極基材層４１１を挟んで対向する位置に配置されている。
【００５９】
また、図７の（ａ）に示すように、正極第一層４４１ａは、正極合材層４１２ａ及び４１２ｂよりも厚み方向（Ｚ軸方向）の高さが高い部分を有する層である。具体的には、正極第一層４４１ａは、当該高さが高い部分として、セパレータ４３２に向けて突出した凸部４４１ａ１を有している。これにより、図７の（ｂ）に示すように、セパレータ４３２は、正極第一層４４１ａに沿って形成された溝部４３２ａを有することとなる。
【００６０】
つまり、正極第一層４４１ａの表面（Ｚ軸方向プラス側の面）は、２つの凹部に挟まれた凸部４４１ａ１が形成された凹凸面であり、凸部４４１ａ１は、正極４１０の長手方向（Ｙ軸方向）の全長にわたって、当該長手方向に延びるように形成されている。そして、セパレータ４３２には、凸部４４１ａ１に対応して、当該長手方向に延びるように溝部４３２ａが形成される。
【００６１】
また、図７の（ａ）に示すように、正極第一層４４１ａは、正極合材層４１２ａ及び４１２ｂよりも厚み方向（Ｚ軸方向）の高さが低い部分も有している。具体的には、正極第一層４４１ａは、当該高さが低い部分として、正極基材層４１１に向けて突出した凸部４４１ａ２及び４４１ａ３を有している。これにより、正極基材層４１１は、正極第一層４４１ａに沿って形成された溝部４１１ａ及び４１１ｂを有することとなる。
【００６２】
つまり、凸部４４１ａ２及び４４１ａ３は、凸部４４１ａ１と同様に、正極４１０の長手方向（Ｙ軸方向）の全長にわたって、当該長手方向に延びるように形成されており、正極基材層４１１には、凸部４４１ａ２及び４４１ａ３に対応して、当該長手方向に延びるように溝部４１１ａ及び４１１ｂが形成される。
【００６３】
また、正極第一層４４１ｂについても同様に、正極合材層４１３ａ及び４１３ｂよりも厚み方向（Ｚ軸方向）の高さが高い部分を有している。具体的には、正極第一層４４１ｂは、当該高さが高い部分として、セパレータ４３１に向けて突出した凸部４４１ｂ１及び４４１ｂ２を有している。これにより、図７の（ｂ）に示すように、セパレータ４３１は、正極第一層４４１ｂに沿って形成された溝部４３１ａ及び４３１ｂを有することとなる。
【００６４】
つまり、正極第一層４４１ｂの表面（Ｚ軸方向マイナス側の面）は、１つの凹部の両側に２つの凸部４４１ｂ１及び４４１ｂ２が形成された凹凸面であり、凸部４４１ｂ１及び４４１ｂ２は、正極４１０の長手方向（Ｙ軸方向）の全長にわたって、当該長手方向に延びるように形成されている。そして、セパレータ４３１には、凸部４４１ｂ１及び４４１ｂ２に対応して、当該長手方向に延びるように溝部４３１ａ及び４３１ｂが形成される。
【００６５】
また、図７の（ａ）に示すように、正極第一層４４１ｂは、正極合材層４１３ａ及び４１３ｂよりも厚み方向（Ｚ軸方向）の高さが低い部分も有している。具体的には、正極第一層４４１ｂは、当該高さが低い部分として、正極基材層４１１に向けて突出した凸部４４１ｂ３を有している。これにより、正極基材層４１１は、正極第一層４４１ｂに沿って形成された溝部４１１ｃを有することとなる。
【００６６】
つまり、凸部４４１ｂ３は、凸部４４１ｂ１及び４４１ｂ２と同様に、正極４１０の長手方向（Ｙ軸方向）の全長にわたって、当該長手方向に延びるように形成されており、正極基材層４１１には、凸部４４１ｂ３に対応して、当該長手方向に延びるように溝部４１１ｃが形成される。
【００６７】
また、図６に示すように、負極４２０は、負極合材層４２２ａと４２２ｂとの間に、負極第一層４４１ｃと負極第二層４４２ｃ及び４４３ｃとを備え、また、負極合材層４２３ａと４２３ｂとの間に、負極第一層４４１ｄと負極第二層４４２ｄ及び４４３ｄとを備えている。つまり、負極基材層４２１の一方の表面には、負極合材層が形成されていない領域が存在し、当該領域内に、負極第一層４４１ｃと負極第二層４４２ｃ及び４４３ｃとが配置されており、負極基材層４２１の他方の表面にも、負極合材層が形成されていない領域が存在し、当該領域内に、負極第一層４４１ｄと負極第二層４４２ｄ及び４４３ｄとが配置されている。
【００６８】
具体的には、負極第一層４４１ｃは、負極基材層４２１の表面（Ｚ軸方向プラス側の表面）の負極合材層４２２ａ及び４２２ｂと隣り合う位置に形成された層である。つまり、負極合材層４２２は、間隔を空けて形成された２つの合材層である負極合材層４２２ａ及び４２２ｂを有しており、負極第一層４４１ｃは、当該２つの合材層である負極合材層４２２ａ及び４２２ｂの間に配置されている。
【００６９】
また、負極第二層４４２ｃは、負極合材層４２２ａと負極第一層４４１ｃとの間に配置される層であり、負極第二層４４３ｃは、負極合材層４２２ｂと負極第一層４４１ｃとの間に配置される層である。つまり、負極第二層４４２ｃは、負極合材層４２２ａと負極第一層４４１ｃとの間の隙間を埋める部材であり、負極第二層４４３ｃは、負極合材層４２２ｂと負極第一層４４１ｃとの間の隙間を埋める部材である。
【００７０】
また、負極第一層４４１ｄは、負極基材層４２１の表面（Ｚ軸方向マイナス側の表面）の負極合材層４２３ａ及び４２３ｂと隣り合う位置に形成された層である。つまり、負極合材層４２３は、間隔を空けて形成された２つの合材層である負極合材層４２３ａ及び４２３ｂを有しており、負極第一層４４１ｄは、当該２つの合材層である負極合材層４２３ａ及び４２３ｂの間に配置されている。
【００７１】
また、負極第二層４４２ｄは、負極合材層４２３ａと負極第一層４４１ｄとの間に配置される層であり、負極第二層４４３ｄは、負極合材層４２３ｂと負極第一層４４１ｄとの間に配置される層である。つまり、負極第二層４４２ｄは、負極合材層４２３ａと負極第一層４４１ｄとの間の隙間を埋める部材であり、負極第二層４４３ｄは、負極合材層４２３ｂと負極第一層４４１ｄとの間の隙間を埋める部材である。
【００７２】
また、負極第一層４４１ｃと負極第一層４４１ｄとは、負極基材層４２１を挟んで対向する位置に配置されている。また、負極第二層４４２ｃと負極第二層４４２ｄとは、負極基材層４２１を挟んで対向する位置に配置されており、負極第二層４４３ｃと負極第二層４４３ｄとは、負極基材層４２１を挟んで対向する位置に配置されている。
【００７３】
また、正極４１０と負極４２０とセパレータ４３０とが巻回されて積層された状態では、正極第一層４４１ｂと負極第一層４４１ｃとは、セパレータ４３１を挟んで対向する位置に配置される。また、正極第二層４４２ｂと負極第二層４４２ｃとは、セパレータ４３１を挟んで対向する位置に配置され、正極第二層４４３ｂと負極第二層４４３ｃとは、セパレータ４３１を挟んで対向する位置に配置される。
【００７４】
また、正極４１０と負極４２０とセパレータ４３０とが巻回されて積層された状態では、正極第一層４４１ａと負極第一層４４１ｄとは、セパレータ４３２を挟んで対向する位置に配置される。また、正極第二層４４２ａと負極第二層４４２ｄとは、セパレータ４３２を挟んで対向する位置に配置され、正極第二層４４３ａと負極第二層４４３ｄとは、セパレータ４３２を挟んで対向する位置に配置される。
【００７５】
なお、負極合材層４２２ａと４２２ｂとの間の距離及び負極合材層４２３ａと４２３ｂとの間の距離は、正極合材層４１２ａと４１２ｂとの間の距離及び正極合材層４１３ａと４１３ｂとの間の距離よりも、小さくなるように形成されている。電極にデンドライトが析出し成長するのを抑制するためである。
【００７６】
つまり、負極合材層４２２ａと負極第一層４４１ｃとの間の距離及び負極合材層４２３ａと負極第一層４４１ｄとの間の距離は、正極合材層４１２ａと正極第一層４４１ａとの間の距離及び正極合材層４１３ａと正極第一層４４１ｂとの間の距離よりも、小さくなるように形成されている。また、負極合材層４２２ｂと負極第一層４４１ｃとの間の距離及び負極合材層４２３ｂと負極第一層４４１ｄとの間の距離は、正極合材層４１２ｂと正極第一層４４１ａとの間の距離及び正極合材層４１３ｂと正極第一層４４１ｂとの間の距離よりも、小さくなるように形成されている。
【００７７】
このため、負極第二層４４２ｃ及び４４２ｄは、正極第二層４４２ａ及び４４２ｂよりも幅（Ｘ軸方向の幅）が短く形成されている。また、同様に、負極第二層４４３ｃ及び４４３ｄは、正極第二層４４３ａ及び４４３ｂよりも幅（Ｘ軸方向の幅）が短く形成されている。
【００７８】
また、負極第一層４４１ｃは、負極合材層４２２ａ及び４２２ｂよりも厚み方向（Ｚ軸方向）の高さが高い部分を有しており、セパレータ４３１は、負極第一層４４１ｃに沿って形成された溝部を有する。また、負極第一層４４１ｃは、負極合材層４２２ａ及び４２２ｂよりも厚み方向の高さが低い部分も有しており、負極基材層４２１は、負極第一層４４１ｃに沿って形成された溝部を有する。なお、この負極第一層４４１ｃの構成については、正極第一層４４１ａの構成と同様であるため、詳細な説明は省略する。
【００７９】
また、負極第一層４４１ｄについても同様に、負極合材層４２３ａ及び４２３ｂよりも厚み方向（Ｚ軸方向）の高さが高い部分を有しており、セパレータ４３２は、負極第一層４４１ｄに沿って形成された溝部を有する。また、負極第一層４４１ｄは、負極合材層４２３ａ及び４２３ｂよりも厚み方向の高さが低い部分も有しており、負極基材層４２１は、負極第一層４４１ｄに沿って形成された溝部を有する。なお、この負極第一層４４１ｄの構成については、正極第一層４４１ｂの構成と同様であるため、詳細な説明は省略する。
【００８０】
そして、図６に示すように、正極第一層４４１ａと正極第一層４４１ｂと負極第一層４４１ｃと負極第一層４４１ｄとで、第一層４４１を構成している。また、正極第二層４４２ａと正極第二層４４２ｂと負極第二層４４２ｃと負極第二層４４２ｄとで、第二層４４２を構成し、また、正極第二層４４３ａと正極第二層４４３ｂと負極第二層４４３ｃと負極第二層４４３ｄとで、第二層４４３を構成している。そして、第一層４４１と第二層４４２及び４４３とで、合材隣接層４４０を構成している。
【００８１】
以上のように、第一層４４１は、正極４１０及び負極４２０の基材層の表面の合材層と隣り合う位置に形成された層である。つまり、当該合材層は、間隔を空けて形成された２つの合材層を有しており、第一層４４１は、当該２つの合材層の間に配置されている。また、第二層４４２及び４４３は、第一層４４１と当該合材層との間に配置される層である。
【００８２】
また、第一層４４１は、当該合材層よりも厚み方向の高さが高い部分を有する層であり、具体的には、第一層４４１は、セパレータ４３０に向けて突出した凸部を有している。また、セパレータ４３０は、第一層４４１に沿って形成された溝部を有しており、正極４１０及び負極４２０の基材層は、第一層４４１に沿って形成された溝部を有している。
【００８３】
つまり、第一層４４１は、セパレータ４３０との間の摩擦力（摩擦抵抗）が、他の部分よりも大きくなるように形成されている。同様に、第一層４４１は、正極４１０及び負極４２０の基材層との間の摩擦力（摩擦抵抗）が、他の部分よりも大きくなるように形成されている。
【００８４】
ここで、第一層４４１は、正極４１０または負極４２０の活物質とは異なる物質を含む層である。つまり、正極第一層４４１ａは、正極合材層４１２ａ及び４１２ｂに含まれる正極活物質とは異なる物質を含み、正極第一層４４１ｂは、正極合材層４１３ａ及び４１３ｂに含まれる正極活物質とは異なる物質を含む。また、負極第一層４４１ｃは、負極合材層４２２ａ及び４２２ｂに含まれる負極活物質とは異なる物質を含み、負極第一層４４１ｄは、負極合材層４２３ａ及び４２３ｂに含まれる負極活物質とは異なる物質を含む。
【００８５】
なお、第一層４４１の材質は特に限定されないが、第一層４４１は、絶縁体で形成されるのが好ましく、また、弾性体で形成されるのが好ましく、さらに、多孔体で形成され膨潤するものが好ましい。つまり、第一層４４１は、絶縁性、弾性及び多孔性のうちの少なくとも１つの性質を有するのが好ましい。
【００８６】
例えば、第一層４４１は、ブチルゴム、エチレン−プロピレンゴム、フッ素ゴム、エチレン−酢酸ビニルゴム、多硫化ゴム等のゴム、ポリエチレン、ポリプロピレン、エポキシ樹脂、ポリアミド、芳香族ポリアミド、ポリカーボネート、ポリスチレン、ポリフッ化ビニリデン（ＰＶＤＦ）、ポリフェニレンサルファイド（ＰＰＳ）等の樹脂、または基材に上記樹脂を用いた絶縁テープなどから形成される。
【００８７】
また、第二層４４２及び４４３（正極第二層４４２ａ、正極第二層４４２ｂ、負極第二層４４２ｃ、負極第二層４４２ｄ、正極第二層４４３ａ、正極第二層４４３ｂ、負極第二層４４３ｃ及び負極第二層４４３ｄ）は、絶縁性を有する層である。つまり、第二層４４２及び４４３は、第一層４４１と合材層との間に塗布される絶縁コート剤である。
【００８８】
第二層４４２及び４４３の材質は特に限定されないが、例えば、上記の第一層４４１に使用される材質から選定されたいずれかの材質、またはアルミナ、シリカなどの絶縁体とＰＶＤＦなどのポリマーとの混合物などから形成される。なお、第一層４４１と第二層４４２及び４４３とは、同じ材質で形成されていてもかまわない。
【００８９】
以上のように、本発明の実施の形態に係る蓄電素子１０によれば、正極４１０及び負極４２０は、基材層の表面の合材層と隣り合う位置に、合材層よりも厚み方向の高さが高い部分を有する第一層４４１を備えている。つまり、正極４１０及び負極４２０において、合材層の隣りの第一層４４１が合材層よりも高い部分を有しているため、この第一層４４１がセパレータ４３０に接触して、セパレータ４３０の動きを規制する。これにより、蓄電素子１０において、電極体４００を形成する際に、正極４１０または負極４２０とセパレータ４３０とがずれるのを抑制することができる。
【００９０】
また、第一層４４１を合材層の間に配置することで、電極体４００を形成する際に、バランスよく第一層４４１をセパレータ４３０に接触させることができるため、正極４１０または負極４２０とセパレータ４３０とがずれるのを効果的に抑制することができる。
【００９１】
また、第一層４４１に凸部を形成することで、合材層よりも高さが高い部分を形成することができるため、容易に、正極４１０または負極４２０とセパレータ４３０とがずれるのを抑制することができる。
【００９２】
また、セパレータ４３０には、第一層４４１の高さが高い部分に対応して、溝部が形成されるため、第一層４４１の当該高さが高い部分と当該溝部とで、正極４１０または負極４２０とセパレータ４３０とがずれるのを抑制することができる。
【００９３】
また、基材層には、第一層４４１に沿って溝部が形成されている。つまり、基材層には、溝部が形成されており、第一層４４１には、当該溝部に対応して、合材層よりも厚み方向の高さが低い部分が形成されている。このため、当該溝部と第一層４４１の当該高さが低い部分とで、基材層に対して第一層４４１がずれるのを抑制することができる。
【００９４】
また、合材層と第一層４４１との間には、絶縁性の第二層４４２及び４４３が形成されている。つまり、合材層と第一層４４１との間の隙間を絶縁性部材で埋めることで、絶縁性を確保しつつ、第一層４４１を安定して配置することができる。
【００９５】
また、第一層４４１は絶縁体で形成されるのが好ましく、この場合には、絶縁性を確保しつつ、第一層４４１を配置することができる。
【００９６】
また、第一層４４１は弾性体で形成されるのが好ましく、この場合には、セパレータ４３０と接触してセパレータ４３０を損傷させるのを防止することができる。
【００９７】
また、第一層４４１は多孔体で形成されるのが好ましく、この場合にも、セパレータ４３０と接触してセパレータ４３０を損傷させるのを防止することができる。
【００９８】
（変形例１）
次に、本実施の形態の変形例１について説明する。上記実施の形態では、正極４１０及び負極４２０の合材層は、間隔を空けて形成された２つの合材層を有しており、第一層４４１は、当該２つの合材層の間に配置されていることとした。しかし、本変形例では、正極４１０及び負極４２０の合材層は２つの合材層には分かれておらず、第一層は、当該合材層の側方に配置される。
【００９９】
図８は、本発明の実施の形態の変形例１に係る電極体４０１の巻回状態を一部展開して示す斜視図である。また、図９は、本発明の実施の形態の変形例１に係る合材隣接層４５０の構成を示す断面図である。具体的には、同図は、図８に示された電極体４０１をＣ−Ｃ断面で切断して合材隣接層４５０の部分を拡大して示す拡大断面図である。
【０１００】
これらの図に示すように、正極４１０は、正極基材層４１１の表面に正極合材層４１２ａ及び４１３ａを備えており、負極４２０は、負極基材層４２１の表面に負極合材層４２２ａ及び４２３ａを備えている。つまり、正極４１０は、上記実施の形態における正極合材層４１２ｂ及び４１３ｂを備えておらず、負極４２０は、上記実施の形態における負極合材層４２２ｂ及び４２３ｂを備えていない。
【０１０１】
また、正極４１０は、正極合材層４１２ａの側方（Ｘ軸方向プラス側）に、正極第一層４４１ａ及び正極第二層４４２ａを備えており、また、正極合材層４１３ａの側方（Ｘ軸方向プラス側）に、正極第一層４４１ｂ及び正極第二層４４２ｂを備えている。つまり、正極４１０は、上記実施の形態における正極第二層４４３ａ及び４４３ｂを備えていない。
【０１０２】
また、同様に、負極４２０は、負極合材層４２２ａの側方（Ｘ軸方向プラス側）に、負極第一層４４１ｃ及び負極第二層４４２ｃを備えており、また、負極合材層４２３ａの側方（Ｘ軸方向プラス側）に、負極第一層４４１ｄ及び負極第二層４４２ｄを備えている。つまり、負極４２０は、上記実施の形態における負極第二層４４３ｃ及び４４３ｄを備えていない。
【０１０３】
つまり、合材隣接層４５０は、電極体４０１の一方の端部（Ｘ軸方向プラス側の端部）に形成されており、第一層４４１と第二層４４２とを備えているが、上記実施の形態における第二層４４３は備えていない。なお、合材隣接層４５０は、他方の端部（Ｘ軸方向マイナス側の端部）に形成されていてもかまわない。
【０１０４】
このように、第一層４４１は、正極４１０及び負極４２０の基材層の表面の合材層と隣り合う位置に形成された層である。つまり、正極４１０及び負極４２０の合材層は２つの合材層には分かれておらず、第一層４４１は、当該合材層の側方に配置されている。また、第二層４４２は、第一層４４１と当該合材層との間に配置されている。
【０１０５】
なお、電極体４０１及び合材隣接層４５０のその他の構成については、上記実施の形態における電極体４００及び合材隣接層４４０の構成と同様であるため、詳細な説明は省略する。
【０１０６】
以上のように、本発明の実施の形態の変形例１に係る蓄電素子によれば、上記実施の形態と同様の効果を奏することができる。
【０１０７】
（変形例２）
次に、本実施の形態の変形例２について説明する。上記実施の形態では、合材隣接層４４０は、電極体４００の中央部分に、正極４１０及び負極４２０の長手方向（Ｙ軸方向）の全長にわたって、当該長手方向に延びるように形成されていることとした。しかし、本変形例では、合材隣接層は、当該長手方向の全長にわたって延びるように配置されない。
【０１０８】
図１０及び図１１は、本発明の実施の形態の変形例２に係る電極体４０２及び４０３の巻回状態を一部展開して示す斜視図である。
【０１０９】
図１０に示すように、電極体４０２において、電極体４０２の正極４１０及び負極４２０を斜めに横切るように、合材隣接層４６０が形成されている。また、図１１に示すように、電極体４０３において、電極体４０３の正極４１０及び負極４２０の長手方向（Ｙ軸方向）に、断続的に、複数の合材隣接層４７０が形成されている。
【０１１０】
このように、合材隣接層は、正極４１０及び負極４２０上をどのような角度で延びるように形成されていてもよいし、複数の合材隣接層に分かれて形成されていてもかまわない。つまり、合材隣接層は、図５に示したような直線状（同図ではＺ軸方向）に並ぶように配置されていなくともかまわない。
【０１１１】
以上のように、本発明の実施の形態の変形例２に係る蓄電素子によれば、上記実施の形態と同様の効果を奏することができる。
【０１１２】
（変形例３）
次に、本実施の形態の変形例３について説明する。上記実施の形態では、第一層４４１には凹部と凸部とからなる凹凸面が形成されていることとした。しかし、本変形例では、第一層は凸部または凹部のいずれかしか有していない。
【０１１３】
図１２は、本発明の実施の形態の変形例３に係る合材隣接層４８０の構成を示す断面図である。
【０１１４】
同図に示すように、合材隣接層４８０は、上記実施の形態の合材隣接層４４０の第一層４４１に代えて、第一層４８１を備えている。そして、第一層４８１は、凸部または凹部のいずれかしか有していない。
【０１１５】
つまり、正極第一層４８１ａ及び負極第一層４８１ｃの表面（Ｚ軸方向プラス側の面）は、凹部は形成されておらず、１つの凸部のみ有している。また、正極第一層４８１ｂ及び負極第一層４８１ｄの表面（Ｚ軸方向マイナス側の面）は、凸部は形成されておらず、１つの凹部のみ有している。
【０１１６】
つまり、第一層４８１は、正極４１０及び負極４２０の合材層よりも厚み方向の高さが高い部分を有する層であり、セパレータに向けて突出した凸部を有している。これにより、セパレータ４３３及び４３４は、第一層４８１に沿って形成される溝部を有することとなる。また、正極基材層４８２及び負極基材層４８３も、第一層４８１に沿って形成される溝部を有することとなる。
【０１１７】
なお、合材隣接層４８０のその他の構成については、上記実施の形態における合材隣接層４４０の構成と同様であるため、詳細な説明は省略する。
【０１１８】
以上のように、本発明の実施の形態の変形例３に係る蓄電素子によれば、上記実施の形態と同様の効果を奏することができる。
【０１１９】
（変形例４）
次に、本実施の形態の変形例４について説明する。上記実施の形態では、正極基材層４１１及び負極基材層４２１は、第一層４４１に沿って形成された溝部を有することとした。しかし、本変形例では、正極基材層及び負極基材層は、溝部を有していない。
【０１２０】
図１３は、本発明の実施の形態の変形例４に係る合材隣接層４９０の構成を示す断面図である。
【０１２１】
同図に示すように、合材隣接層４９０は、上記実施の形態の合材隣接層４４０の第一層４４１に代えて、第一層４９１を備えている。そして、第一層４９１は、正極基材層４９２及び負極基材層４９３に対向する面が平板状に形成されている。
【０１２２】
つまり、正極基材層４９２の正極第一層４９１ａ及び４９１ｂと対向する面、及び、負極基材層４９３の負極第一層４９１ｃ及び４９１ｄと対向する面は、上記実施の形態のような溝部は形成されることなく、平板形状を有している。
【０１２３】
これにより、正極第一層４９１ａ及び４９１ｂの正極基材層４９２と対向する面は、平板形状を有しており、負極第一層４９１ｃ及び４９１ｄの負極基材層４９３と対向する面は、平板形状を有している。
【０１２４】
なお、合材隣接層４９０のその他の構成については、上記実施の形態における合材隣接層４４０の構成と同様であるため、詳細な説明は省略する。
【０１２５】
以上のように、本発明の実施の形態の変形例４に係る蓄電素子によっても、第一層４９１は、正極４１０及び負極４２０の合材層よりも厚み方向の高さが高い部分を有する層であるため、上記実施の形態と同様の効果を奏することができる。
【０１２６】
以上、本発明の実施の形態及びその変形例に係る蓄電素子について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１２７】
例えば、上記実施の形態及びその変形例では、正極４１０及び負極４２０の双方ともに、合材層よりも厚み方向の高さが高い部分を有する第一層を備えた合材隣接層を有していることとした。しかし、当該合材隣接層は、正極４１０及び負極４２０のうちの少なくとも一方に設けられていればよい。つまり、正極４１０にのみ合材隣接層が設けられていてもよく、負極４２０にのみ合材隣接層が設けられていてもよい。なお、電極へのデンドライト発生を抑制する観点から、合材隣接層は正極４１０に設けられているのが好ましい。
【０１２８】
また、上記実施の形態及びその変形例では、合材隣接層は、第一層及び第二層を有していることとした。しかし、当該合材隣接層は、第一層のみ有しており、第二層は有していないことにしてもよい。
【０１２９】
また、上記実施の形態及びその変形例を任意に組み合わせて構築される形態も、本発明の範囲内に含まれる。また、上記実施の形態及びその変形例の部分的な構成を、適宜組み合わせてなる構成であってもよい。例えば、変形例３または４に、変形例１または２の構成を組み合わせてなる構成であってもかまわない。
【０１３０】
また、本発明は、このような蓄電素子１０として実現することができるだけでなく、蓄電素子１０が備える電極体４００、または第一層を備えた電極（正極４１０または負極４２０）として実現することもできる。
【産業上の利用可能性】
【０１３１】
本発明は、リチウムイオン二次電池などの蓄電素子等に適用できる。
【符号の説明】
【０１３２】
１０  蓄電素子
１００  容器
１１０  ふた板
１２０  正極集電体
１３０  負極集電体
２００  正極端子
３００  負極端子
４００、４０１、４０２、４０３  電極体
４１０  正極
４１１、４８２、４９２  正極基材層
４１１ａ、４１１ｂ、４１１ｃ  溝部
４１２、４１２ａ、４１２ｂ、４１３、４１３ａ、４１３ｂ  正極合材層
４２０  負極
４２１、４８３、４９３  負極基材層
４２２、４２２ａ、４２２ｂ、４２３、４２３ａ、４２３ｂ  負極合材層
４３０、４３１、４３２、４３３、４３４  セパレータ
４３１ａ、４３１ｂ、４３２ａ  溝部
４４０、４５０、４６０、４７０、４８０、４９０  合材隣接層
４４１、４８１、４９１  第一層
４４１ａ、４４１ｂ、４８１ａ、４８１ｂ、４９１ａ、４９１ｂ  正極第一層
４４１ａ１、４４１ａ２、４４１ａ３、４４１ｂ１、４４１ｂ２、４４１ｂ３  凸部
４４１ｃ、４４１ｄ、４８１ｃ、４８１ｄ、４９１ｃ、４９１ｄ  負極第一層
４４２、４４３  第二層
４４２ａ、４４２ｂ、４４３ａ、４４３ｂ  正極第二層
４４２ｃ、４４２ｄ、４４３ｃ、４４３ｄ  負極第二層
【図１】
2015069944.tif 000003
【図２】
2015069944.tif 000004
【図３】
2015069944.tif 000005
【図４】
2015069944.tif 000006
【図５】
2015069944.tif 000007
【図６】
2015069944.tif 000008
【図７】
2015069944.tif 000009
【図８】
2015069944.tif 000010
【図９】
2015069944.tif 000011
【図１０】
2015069944.tif 000012
【図１１】
2015069944.tif 000013
【図１２】
2015069944.tif 000014
【図１３】
2015069944.tif 000015